(57)【要約】【課題】  OTUk及び任意の桁数を持つOTUkVの任意レーン数及びレーン毎に容量の異なるマルチレーン伝送を可能にする。【解決手段】  本発明は、送信側装置では、論理レーン数を設定し、論理レーン数に対応した論理レーンマーカをOTUフレームに付与し、OTUブロックを均等に分割できずブロックが不足する場合には、OTUフレームにダミーバイトを付与した後に該OTUフレームをブロックに分割し、論理レーンに均等にブロックを分配できない場合は、ダミーブロックを付与して分割したブロックを論理レーンに分配し、受信側装置に送信する。受信側装置では、各レーンの信号を受信した後に、論理レーンマーカにより論理レーンを識別し、フレームに付与されているダミーブロックを除去してブロックを結合し信号のフレームに付与されているダミーバイトを除去して元のOTUフレームを再生する。【選択図】  図１
2011223454.tif 000002
【特許請求の範囲】
【請求項１】
OTN(Optical Transport Network)インタフェース勧告G.709 Amendment 3 (2009/4)のAnnex Cで規定されるOTUフレーム（OTUkもしくはOTUkV）を用いた単一の信号を複数の物理レーンによって伝送する送信側装置、及び、受信したフレームを結合する受信側装置を有するマルチレーン伝送システムであって、
前記送信側装置は、
物理レーン数に応じて論理レーン数を設定し、論理レーンを識別するための論理レーン数に対応した論理レーンマーカをOTUフレームのオーバーヘッド領域に付与する論理レーンマーカ付与手段と、
OTUフレームを均等にブロックに分割できずバイトが不足する場合には、前記OTUフレームにダミーバイトを付与した後に該OTUフレームをブロックに分割するブロック分割手段と、
論理レーンに均等にブロックを分配できない場合は、ダミーブロックを付与して分割したブロックを論理レーンに分配するブロック分配手段と、
を備え、
前記受信側装置は、
各レーンの信号を受信した後に、前記論理レーンマーカにより論理レーンを識別する論理レーン識別手段と、
信号のフレームに付与されているダミーブロックを除去してブロックを結合するブロック結合手段と、
前記信号のフレームに付与されているダミーバイトを除去して元のOTUフレームを再生するフレーム再生手段と、
を備えることを特徴とするマルチレーン伝送システム。
【請求項２】
前記物理レーン数と前記論理レーン数を同一にする
ことを特徴とする請求項１に記載のマルチレーン伝送システム。
【請求項３】
前記ブロック分割手段は、
前記OTUフレームに、コラム単位でダミーコラムを追加する手段を含む
ことを特徴とする請求項１記載のマルチレーン伝送システム。
【請求項４】
前記送信側装置は、
前記ブロック分配手段に接続される複数の論理レーンのうち、任意の数のレーン数を多重して物理レーンを生成する物理レーン生成手段を含むことを特徴とする請求項１に記載のマルチレーン伝送システム。
【請求項５】
OTN(Optical Transport Network) インタフェース勧告G.709 Amendment 3 (2009/4)のAnnex Cで規定されるOTUフレーム（OTUkもしくはOTUkV）を用いた単一の信号を複数の物理レーンによって伝送する送信側装置、及び、受信したフレームを結合する受信側装置を有するマルチレーン伝送システムにおけるマルチレーン伝送方法であって、
前記送信側装置において、
論理レーンマーカ付与手段により、物理レーン数に応じて論理レーン数を設定し、論理レーンを識別するための論理レーン数に対応した論理レーンマーカをOTUフレームのオーバーヘッド領域に付与する論理レーンマーカ付与ステップと、
ブロック分配手段により、OTUフレームを均等にブロック分割できずバイトが不足する場合には、前記OTUフレームにダミーバイトを付与した後に該OTUフレームをブロックに分割するブロック分割ステップと、
ブロック分配手段により、論理レーンに均等にブロックを分配できない場合は、ダミーブロックを付与して分割したブロックを論理レーンに分配し、前記受信側装置に送信するブロック分配ステップと、
を行い、
前記受信側装置において、
論理レーン識別手段により、各レーンの信号を受信した後に、前記論理レーンマーカにより論理レーンを識別する論理レーン識別ステップと、
ブロック結合手段により、信号のフレームに付与されているダミーブロックを除去してブロックを結合するブロック結合ステップと、
フレーム再生手段により、前記信号のフレームに付与されているダミーバイトを除去して元のOTUフレームを再生するフレーム再生ステップと、
を行うことを特徴とするマルチレーン伝送方法。
【請求項６】
前記物理レーン数と前記論理レーン数を同一にする
ことを特徴とする請求項５に記載のマルチレーン伝送方法。
【請求項７】
前記ブロック分割ステップにおいて、
前記OTUフレームに、コラム単位でダミーコラムを追加する
ことを特徴とする請求項５記載のマルチレーン伝送方法。
【請求項８】
前記送信側装置において、
前記ブロック分配手段に接続される複数の論理レーンのうち、任意の数のレーン数を多重して物理レーンを生成する
ことを特徴とする請求項５に記載のマルチレーン伝送方法。
【発明の詳細な説明】
【技術分野】
【０００１】
本発明は、マルチレーン伝送方法及びシステムに係り、特に、単一の信号を複数の物理レーンによって伝送するマルチレーン伝送方法及びシステムに関する。
【背景技術】
【０００２】
インターネットなどの利用の拡大にともないデータトラフィックが急速に増加している。そのようなトラフィックを支えるために伝送の大容量化が進展しており、バックボーンネットワークを支える伝送装置の伝送容量も拡大の一途を辿っている。大容量化を支える技術の一つとして、図１５に示すようなマルチレーン伝送技術がある。同図に示すマルチレーン伝送のシステムは、フレーム生成部１１、ＦＥＣ（Forward Error Correction）符号化部１２、分配部１３からなる送信側装置１０と、結合部２１、FEC復号化部２２、フレーム処理部２３からなる受信側装置２０とを有する。当該システムは、送信側装置１０から単一のデータを複数のレーンを用いて受信側装置２０に転送することで大容量化を図るというものである（例えば、非特許文献１,２参照）。
【０００３】
例えば、１レーンあたり10Gbit/sの速度の伝送を１０レーンまとめて扱うことで100 Gbit/sの大容量伝送が可能となる。複数のレーンを用いることで１レーンあたりの動作速度を低減することができるので、光学部品や電子部品に要求される動作速度などの仕様が緩和され結果的に低コストなシステムを実現することが可能となる。
【０００４】
マルチレーン伝送の具体例としてはITU-T勧告G.709 "Interfaces for Optical Transport Networks (OTN)"のAnnex Cで規定されるOTUk（k = 3, 4）のマルチレーン伝送が挙げられる。G.709 Annex Cでは、マルチレーン伝送を前提とした40 Gbit/s, 100 Gbit/s イーサネット（40GbE，100GbE）の光モジュールを流用したOTUkのマルチレーン伝送方法を規定している。
【０００５】
以下、Annex Cの動作原理を説明する。
【０００６】
まず、図１６に示すOTUフレームの先頭領域（FAS:frame alignment signal）を目印とし、当該OTUフレームを図１７に示すように１６バイト毎のブロックに分割して、その後、OTU4（OTU3）の場合は20（4）論理レーンにそれらのブロックを分配することでマルチレーン伝送を可能にする。図１８にG.709 Annex CによるOTU3マルチレーン伝送（４論理レーン）とOTU4マルチレーン伝送（２０論理レーン）を示す。同図に示すように、複数レーンへのブロック分配は、１フレーム毎に分配の開始レーンを変える（レーン回転）ことで各論理レーンにFASが出現するようにする。
【０００７】
実際にレーン識別、レーン間の遅延であるスキュー検出に用いるオーバーヘッドを図１９、図２０に示す。固定のビットパターンが格納されているFASオーバヘッドバイト（FAS OH byte）を確認することによって各チャネルはフレームの先頭位置を認識する。さらにOTU4のマルチレーン伝送時にはFAS OH byte 6には、送信側装置１０の分配部１３で0〜239までの２４０個の番号を順番に付して各論理レーンに分配する。
【０００８】
例えば、
・論理レーン０にFAS OH byte 6="0"；
・論理レーン１にFAS OH byte 6="1"；
・論理レーン２にFAS OH byte 6="2"；
・
・
・論理レーン１９にFAS OH byte 6="19"；
その次は、再び論理レーン0に戻り
・論理レーン０にFAS OH byte 6="20"；
・論理レーン１にFAS OH byte 6="21"；
・論理レーン２にFAS OH byte 6="22"；
・
・
・論理レーン19にFAS OH byte 6="239"；
のように付与する。"239"まで番号を付与するとその次は再び"0"に戻る。
【０００９】
受信側では各論理レーンごと受け取ったFAS OH byte 6の値を論理レーン数２０で割り算した余りが各論理レーンを識別する番号となる。
【００１０】
付与する番号の個数が論理レーン数２０の倍数である２４０個（付与する番号としては0〜239）であるため、上述の例では例えば論理レーン"０"は余りが常に"０"、論理レーン"１"は余りが常に"１"、などとなり、他の論理レーンとの区別が可能となる。
【００１１】
OTUkフレームを複数の論理レーンに分配した後には、実際に使用する物理レーン数に一致させるために複数の論理レーンを必要に応じてビット多重してマルチレーン伝送を行なう。例えばOTU4を４物理レーン伝送する場合には、図２１に示すように２０論理レーンを５論理レーンずつビット多重することで、４物理レーンを生成してマルチレーン伝送する。
【先行技術文献】
【非特許文献】
【００１２】
【非特許文献１】"Interfaces for the Optical Transport Network (OTN)"、２００３年３月、ITU-T Recommendation G.709/Y.1331
【非特許文献２】"Interfaces for the optical transport network (OTN) Amendment 3"、２００９年４月、ITU-T G709/Y.1331 Amendment 3
【発明の概要】
【発明が解決しようとする課題】
【００１３】
上記のG.709 Amendment 3, Annex Cを用いてのマルチレーン伝送を実現しようとした場合にいくつかの問題が生じる。
【００１４】
第１に、標準規定のOTUkフレームにしか対応できないという課題がある。G.709ではOTUkフレームとして4行4080桁（4×4080 = 16320バイト）のフレーム構造を規定している。1フレームを16バイト毎に1020のブロックに分割して論理レーンに分配する。現在規定されている２０論理レーンや４論理レーンは1020（=22×3×5×17）の約数であるためブロックを各論理レーンに均等に分配することができマルチレーン伝送を可能としている。しかし、1020の約数以外の論理レーン数に対してはブロックを均等に分配することができない。また、高速伝送では標準とは異なる冗長度の誤り訂正符号を用いることも多く、その場合OTUフレームの桁数が標準と異なったものとなる（OTUkVフレームと呼ぶ）。その際、OTUkVフレームを１６バイトブロック単位で分割できなかったり、またブロックを各論理レーンに均等に分配することができなかったりするケースも生じることがあるため、任意のOTUkV信号には対応することができない。
【００１５】
第２に、任意のレーン数のマルチレーン伝送に対応できないという課題がある。G.709 Annex Cで規定される方式では、OTU4は２０論理レーン、OTU3は４論理レーンと規定されており、論理レーンをビット多重することで物理レーンを生成している。そのため対応できる物理レーン数としては論理レーン数の約数に限られてしまう。すなわちOTU4の場合は論理レーン数２０の約数である２０，１０，５，４，２の物理レーンに対応が可能であり、OTU3の場合には４の約数である４，２の物理レーンに対応が可能となる。よって任意のレーン数で伝送することができない。
【００１６】
第３に、異なるレーン容量のマルチレーン伝送に対応できないという課題がある。G.709 Annex Cで規定される方式は、各レーンのビットレートが同一であることを前提としている。それは各論理レーンが同一のビットレートを持っており、また同数の論理レーンをビット多重することで物理レーンを生成する構成となっているためである。そのため、例えば100 Gbit/sの信号を40 Gbit/s×2と10 Gbit/s×2でマルチレーン伝送することができない。
【００１７】
本発明は、上記の点に鑑みなされたもので、OTUk及び任意の桁数を持つOTUkVの任意レーン数のマルチレーン伝送を可能とし、並びにOTUk及び任意の桁数を持つOTUkVのレーン毎に容量の異なるマルチレーン伝送が可能なマルチレーン伝送方法及びシステムを提供することを目的とする。
【課題を解決するための手段】
【００１８】
図１は、本発明の原理構成図である。
【００１９】
本発明（請求項１）は、OTN(Optical Transport Network)のAnnex Cで規定されるOTUフレーム（OTUkもしくはOTUkV）を用いた単一の信号を複数の物理レーンによって伝送する送信側装置、及び、受信したフレームを結合する受信側装置を有するマルチレーン伝送システムであって、
送信側装置１００は、
物理レーン数に応じて論理レーン数を設定し、論理レーンを識別するための論理レーン数に対応した論理レーンマーカをOTUフレームのオーバーヘッド領域に付与する論理レーンマーカ付与手段１３０と、
OTUフレームを均等にブロックに分割できずバイトが不足する場合には、OTUフレームにダミーバイトを付与した後に該OTUフレームをブロックに分割するブロック分割手段１４０と、
論理レーンに均等にブロックを分配できない場合は、ダミーブロックを付与して分割したブロックを論理レーンに分配するブロック分配手段１５０と、
を備え、
受信側装置２００は、
各レーンの信号を受信した後に、論理レーンマーカにより論理レーンを識別する論理レーン識別手段２１０と、
信号のフレームに付与されているダミーブロックを除去してブロックを結合するブロック結合手段２２０と、
信号のフレームに付与されているダミーバイトを除去して元のOTUフレームを再生するフレーム再生手段２３０と、を備える。
【００２０】
また、本発明（請求項２）は、請求項１のマルチレーン伝送システムにおいて、
物理レーン数と論理レーン数を同一にする。
【００２１】
また、本発明（請求項３）は、請求項１のマルチレーン伝送システムにおいて、
ブロック分割手段１４０は、OTUフレームに、コラム単位でダミーコラムを追加する手段を含む。
【００２２】
また、本発明（請求項４）は、請求項１のマルチレーン伝送システムにおいて、
送信側装置１００は、ブロック分配手段１５０に接続される複数の論理レーンのうち、任意の数のレーン数を多重して物理レーンを生成する物理レーン生成手段を含む。
【００２３】
図２は、本発明の原理を説明するための図である。
【００２４】
本発明（請求項５）は、OTNのAnnex Cで規定されるOTUフレーム（OTUkもしくはOTUkV）を用いた単一の信号を複数の物理レーンによって伝送する送信側装置、及び、受信したフレームを結合する受信側装置を有するマルチレーン伝送システムにおけるマルチレーン伝送方法であって、
送信側装置において、
論理レーンマーカ付与手段により、物理レーン数に応じて論理レーン数を設定し、論理レーンを識別するための論理レーン数に対応した論理レーンマーカをOTUフレームのオーバーヘッド領域に付与する論理レーンマーカ付与ステップ（ステップ１）と、
ブロック分配手段により、OTUフレームを均等にブロックに分割できずバイトが不足する場合には、OTUフレームにダミーバイトを付与した後に該OTUフレームをブロックに分割するブロック分割ステップ（ステップ２）と、
ブロック分配手段により、論理レーンに均等にブロックを分配できない場合は、ダミーブロックを付与して分割したブロックを論理レーンに分配し、受信側装置に送信するブロック分配ステップ（ステップ３）と、
を行い、
受信側装置において、
論理レーン識別手段により、各レーンの信号を受信した後に、論理レーンマーカにより論理レーンを識別する論理レーン識別ステップ（ステップ４）と、
ブロック結合手段により、信号のフレームに付与されているダミーブロックを除去してブロックを結合するブロック結合ステップ（ステップ５）と、
フレーム再生手段により、信号のフレームに付与されているダミーバイトを除去して元のOTUフレームを再生するフレーム再生ステップ（ステップ６）と、を行う。
【００２５】
また、本発明（請求項６）は、請求項５のマルチレーン伝送方法において、
物理レーン数と論理レーン数を同一にする。
【００２６】
また、本発明（請求項７）は、請求項５のブロック分割ステップにおいて、
OTUフレームに、コラム単位でダミーコラムを追加する。
【００２７】
また、本発明（請求項８）は、請求項５のマルチレーン伝送方法において、
送信側装置のブロック分配手段に接続される複数の論理レーンのうち、任意の数のレーン数を多重して物理レーンを生成する。
【発明の効果】
【００２８】
本発明は、物理レーン数に応じて論理レーン数を設定しOTUフレームをブロックに分割する際に、論理レーンを均等にブロック分配できない場合はダミーバイトを用い、また、分割したブロックを論理レーンに分配するときに、ブロックが不足する場合は、ダミーブロックを用いることにより、OTUk及び任意の桁数を持つOTUkVの任意のレーン数のマルチレーン伝送を可能にする。
【００２９】
また、一部の論理レーンを多重して物理レーンを生成し、それ以外の論理レーンは多重せずに物理レーンを生成することにより、OTUk及び任意の桁数を持つOTUkVのレーン毎に容量の異なるマルチレーン伝送を可能にする。
【図面の簡単な説明】
【００３０】
【図１】本発明の原理構成図である。
【図２】本発明の原理を説明するための図である。
【図３】本発明の第１の実施の形態におけるマルチレーン伝送システムの基本構成図である。
【図４】本発明の第１の実施の形態におけるマルチレーン伝送システムの動作のフローチャートである。
【図５】本発明の第１の実施の形態における論理レーンと物理レーン同一にする例（OTU4を７物理レーンに伝送する場合）である。
【図６】本発明の第１の実施の形態におけるレーンマーカの例である。
【図７】本発明の第１の実施の形態におけるOTU4フレームのブロック分割の例である。
【図８】本発明の第１の実施の形態における論理レーンへのブロック分配の例である。
【図９】本発明の第２の実施の形態におけるOTU4Vフレーム（非標準FEC想定、例えばコラム数４１００）のブロック分割の例である。
【図１０】本発明の第２の実施の形態における論理レーンへのブロック分配の例である。
【図１１】本発明の第３の実施の形態におけるOTU4Vフレーム（4150コラム）のブロック分割の例である。
【図１２】本発明の第３の実施の形態における論理レーンへのブロック分配の例である。
【図１３】本発明の第４の実施の形態におけるコラム単位の追加の例である。
【図１４】本発明の第６の実施の形態における不等容量マルチレーン伝送例（OTUflex(10TS）を10G×1，25G×2でマルチレーンを伝送する場合)である。
【図１５】従来のマルチレーン伝送システムの基本構成図である。
【図１６】OTUフレーム構造である。
【図１７】G.709Annex Cによるマルチレーン伝送時のOTUフレームのブロック分割方法である。
【図１８】G.709Annex Cによるマルチレーン伝送時のレーン回転方法である。
【図１９】20論理レーンの際にデスキューとレーン識別に用いるオーバーヘッドである。
【図２０】４論理チャネルの際にデスキューとレーン識別に用いるオーバーヘッドである。
【図２１】G.709 Annex Cによるマルチレーン伝送時における論理レーンと物理レーン（OTU4を４物理レーン伝送する場合（※OTU4は20論理レーン））の例である。
【発明を実施するための形態】
【００３１】
以下図面と共に、本発明の実施の形態を説明する。
【００３２】
［第1の実施の形態］
本実施の形態では、標準フレームを任意のレーン数マルチレーン伝送する場合を示し、ブロックを論理レーンに均等に分配できない場合に、ダミーブロックを使用する場合について説明する。
【００３３】
図３は、本発明の第1の実施の形態におけるマルチレーン伝送システムの基本構成図であり、図４は、本発明の第1の実施の形態におけるマルチレーン伝送システムの動作のフローチャートである。
【００３４】
同図に示すマルチレーン伝送システムは、送信側装置１００と受信側装置２００から構成される。
【００３５】
送信側装置１００は、フレーム生成部１１０、ＦＥＣ(Forward Error Correction)符号化部１２０、論理レーンマーカ付与部１３０、ブロック分割部１４０、ブロック分配部１５０から構成される。
【００３６】
送信側装置１００のフレーム生成部１１０は、他の装置からの信号を受信し、ODUk信号を生成する（ステップ１０１）。ＦＥＣ符号化１２０は、ODUk信号に誤り訂正符号を付加してOTUk信号を生成する（ステップ１０２）。論理レーンマーカ付与部１３０は、OTUk信号のオーバーヘッド領域に論理レーンマーカを付与する（ステップ１０３）。ブロック分割部１４０は、OTUkフレームを複数のブロックに分割する（ステップ１０４）。その際、１ブロックのバイトの過不足なく分割することができない場合には、１ブロックに満たないバイト数分のダミーバイトを付与する。ブロック分配部１５０は、分割されたブロックを複数の論理レーンに分配する（ステップ１０５）。その際、ブロックを均等に分配できない場合には、均等に分配できるように、不足分のダミーブロックを付与する。その後、物理レーンを用いてマルチレーン伝送する（ステップ１０６）。
【００３７】
受信側装置２００は、論理レーン識別部２１０、ブロック結合部２２０、フレーム再生部２３０、ＦＥＣ復号化部２４０、フレーム処理部２５０から構成される。
【００３８】
受信装置２００の論理レーン識別部２１０は、受信した物理レーン信号から論理レーンを生成し（ステップ２０１）、その後に論理レーンマーカを検出して自レーンが何番目のレーンであるかを認識する（ステップ２０２）。ブロック結合部２２０は、論理レーン間のスキューを解消し（ステップ２０３）、その後に付与されているダミーブロックを除去して（ステップ２０４）複数の論理レーン上で伝送されてきたブロックを元の順に並べて結合する（ステップ２０５）。フレーム再生部２３０は、結合されたブロックから付与されているダミーバイトを除去して元のOTUkフレームを再生する（ステップ２０６）。
【００３９】
以下では、上記の構成うち、主要な構成要素について具体的に説明する。
【００４０】
ここでは例として、OTU4信号（4行4080桁）を７物理レーンでマルチレーン伝送する場合を示す。
【００４１】
図５は、本発明の第１の実施の形態における論理レーンと物理レーンを同一にする例（OTU4を７物理レーンに伝送する場合）を示す。同図における論理レーン生成部は、図３のブロック分割部１４０、ブロック分配部１５０に相当する。また、物理レーン終端部は図３のブロック結合部２２０に相当する。
【００４２】
同図に示すように７物理レーンを実現するために物理レーン数と同数の７論理レーンを用いる。７論理レーンの識別を可能にするために、送信側装置１００の論理レーンマーカ付与部１３０は、図６に示すように、論理レーンマーカ（LLM）として０〜６までの７個の値を順次フレームに付与する。もしくは７の倍数の個数の値を付与することとしてもよい。
【００４３】
その後、ブロック分割部１４０は、OTU4フレームを図７に示すように、１フレームを１６バイトのブロックに分割し、1020のブロック（4080×4/16=1020）に分割する。ブロック分配部１５０において、1020のブロックを７論理レーンにラウンドロビンで分配していくと、図８に示すように1020ブロックを均等には分配できず、「レーン５」と「レーン６」のブロックが不足する。そこにダミーブロックを２つ用いることで均等に分配できるようにする。ダミーブロック中のビットは、例えばすべて"０"に設定する。
【００４４】
受信側装置２００では、論理レーン識別部２１０において、論理レーンマーカから各論理レーンを識別し、ブロック結合部２２０にてダミーブロックを除去して、各論理レーンのデータを結合することでOTU4フレームを再生する。
【００４５】
なお、上記では論理レーン数を物理レーン数と同一にする例を示したが、論理レーン数を物理レーン数の倍数にしても良い。その際は論理レーンマーカの値を論理レーン数に合わせることが必要となる。
【００４６】
［第２の実施の形態］
本実施の形態では、非標準フレームを任意のレーン数のマルチレーン伝送を行う際に、ブロックを論理レーンに均等に分配できない場合に、ダミーブロックを使用する場合について説明する。
【００４７】
本実施の形態における送信側装置及び受信側装置の構成は前述の第１の実施の形態の図３に示す構成と同様である。
【００４８】
本実施の形態では、OTU4Vの４物理レーン伝送を示す。非標準FECの使用を想定し、本実施の形態では、コラム数を標準の4080コラムではなく4100コラムを用いる場合を説明する。
【００４９】
４物理レーン伝送を実現するために４論理レーンを用いる。送信側装置１００の論理レーンマーカ付与部１３０は、４論理レーンの識別を可能にするために論理レーンマーカ（LLM）として０〜３までの４個の値を順次フレームに付与する。その後、ブロック分割部１４０にて、図９に示すように、コラム数が4100の場合、１フレームを１６バイトブロックに分割し、OTU4Vフレームを1025のブロック（4100×４/16）に分割する。
【００５０】
次に、ブロック分配部１５０にて、当該1025のブロックを４論理レーンにラウンドロビンで分配していくと、図１０に示すように1025ブロックを均等には分配できず、「レーン１」〜「レーン３」の３ブロックが不足する。そのため、そこにダミーブロックを３つ用いることで均等に分配できるようにする。ダミーブロック中のビットは、例えばすべて"０"に設定する。
【００５１】
受信側装置２００では、論理レーン識別部２１０にて、論理レーンマーカから各論理レーンを識別し、ブロック結合部２２０にてダミーブロックを除去して、各論理レーンのデータを結合することでOTU4Vフレームを再生する。
【００５２】
使用するFECの性能が高いために、論理レーンの識別時のビットエラーレートが著しく悪い場合（例えばBER = 10-2）には、以下のようなエラー耐性向上方法などを組み合わせて用いることも可能である。当該エラー耐性向上方法としては、単一の信号を送受信部で複数のレーンに分配及び結合する伝送方式において、
・レーン識別とスキュー検出に用いるビット列に対する誤り訂正符号を付加する；
・結合時に当該誤り訂正符号を用いたエラー訂正を行う；
・結合時にレーン識別とスキュー検出に用いるビット列においてＯＴＮ勧告で規定されるより少ないビット数の使用するビットパターン照合を行う；
・結合時にレーン識別とスキュー検出に用いるビット列に対するビットエラーを許容する；
等を行うことによりエラー耐性を高める方法がある。
【００５３】
［第３の実施の形態］
本実施の形態では、非標準フレームを任意のレーン数のマルチレーン伝送を行う際に、ブロックを論理レーンに均等に分配できない場合に、ダミーブロック、及び、ダミーバイトを使用する場合について説明する。
【００５４】
本実施の形態における送信側装置及び受信側装置の構成は、前述の第１の実施の形態の図３に示す構成と同様である。
【００５５】
本実施の形態では、OTU4Vの５物理レーン伝送を示す。非標準のFECの使用を想定し、コラム数を標準の4080コラムではなく4150コラムを用いる場合を説明する。５物理レーン伝送を実現するために５論理レーンを用いる。
【００５６】
論理レーンマーカ付与部１３０は、５論理レーンの識別を可能にするために論理レーンマーカ（LLM）として０〜４までの５個の値を順次フレームに付与する。その後、ブロック分割部１４０にて、図１１に示すように、OTU4Vフレームを１６バイトのブロックに分割する。この際、4150×4/16=1037.5ブロックとなり、4150コラムを持つOTU4Vフレームは１６バイトのブロックにバイトの過不足なく分割することができず８バイトが中途半端に余ってしまう。そこで８バイトのダミーバイトを付加して1038ブロックに分割する。ダミーバイトは、例えばすべて"０"に設定する。その後、ブロック分配部１５０にて1038のブロックを５論理レーンにラウンドロビンで分配していくと図１２に示すように1038ブロックを均等には分配できず、「レーン３」と「レーン４」の２ブロックが不足する。そこにダミーブロックを２つ用いることで均等に分配できるようにする。ダミーブロック中のビットは例えばすべて"０"に設定する。
【００５７】
受信側装置２００では、論理レーン識別部２１０にて、論理レーンマーカから各論理レーンを識別し、ブロック結合部２２０にてダミーブロックとダミーバイトを除去して、各論理レーンのデータを結合することでOTU4Vフレームを再生する。
【００５８】
［第４の実施の形態］
本実施の形態では、任意のレーン数のマルチレーン伝送を行う際に、ダミーコラムを使用する場合について説明する。本実施の形態における送信側装置及び受信側装置の構成は、前述の第１の実施の形態の図３に示す構成と同様である。
【００５９】
上記の実施の形態では、論理レーンマーカ付与部１３０において、ダミーバイト、ダミーブロックを最低限付加して各論理レーンに均等にブロックを分配できるようにしたが、図１３に示すように、コラム単位でダミーコラムを追加して、ブロック分割部１４０にてバイトの過不足なくブロックに分割できるようにしたり、もしくは、ブロック分配部１５０にてブロックに過不足なくブロックを論理レーンに均等に分配できるようにしたり、その両方をできるようにしたりしても良い。 
［第５の実施の形態］
上記の実施の形態では、具体的なコラム数、論理レーン数を用いて説明してきたが、本実施の形態では、より一般化した形での例を示す。本実施の形態における送信側装置及び受信側装置の構成は前述の第１の実施の形態の図３に示す構成と同様である。
【００６０】
本実施の形態では、論理レーン数L、OTUkVの行数４コラム数Cの場合に必要になるダミーバイト数とダミーブロック数の一例を示す。OTUkVを１６バイトのブロックに分割しようとする場合、OTUkVフレームのバイト数が4 Cになることからブロック数Bは、
B = 4 C / 16 = C / 4
と表される。但し、１６バイトで割り切れない場合もあるのでＢを切り上げしたＢ'が最低限使用するブロック数となる。
【００６１】
B' = ceiling(B)
ここでceiling(x)はxを切り上げする関数を示す。Ｂ'個のブロックを生成するにはダミーバイトを付加する必要がありその個数D_byteは最低限使用するブロックの総バイト数からOTUkVフレームのバイト数を減算したものであるから
D_byte = 16 * B' - 4C
となる。Ｂ'個のブロックをL論理レーンに均等に分配しようとした場合、レーン数によってはブロック数が論理レーン数で割り切れないため、ブロック分配部１５０にてダミーブロックを付加する必要がある。ダミーブロックを付加した後のブロック数Ｂ''は、
B'' = ceiling(B' / L) * L
となる。その際に必要となるダミーブロック数D_blockは、
D_block = B'' - B'
で表される。よって所要ダミーバイト数D_byteと所要ダミーブロック数D_blockを用いることで任意のコラム数のOTUkV信号を１６バイトのブロックにバイトの過不足なく分割し、なおかつ分割したブロックを各論理レーンに均等に分配することができるようになるため、結果として任意のレーン数のマルチレーン伝送が可能となる。C = 4250，L = 1〜10の場合についての計算結果を示す。
【００６２】
【表１】
2011223454.tif 000003
以上，ブロックサイズが、１６バイトの例を示したがブロックサイズを変更することも可能である。その際も上に示したような考え方でダミーバイトやダミーブロックを付加することでマルチレーン伝送が可能となる。
【００６３】
［第６の実施の形態］
本実施の形態では、不等容量マルチレーン伝送について説明する。本実施の形態における送信側装置及び受信側装置の構成は前述の第１の実施の形態の図３に示す構成と同様である。
【００６４】
以下では、ODUflex信号（12.5Gbit/s, 10トリビュタリスロット）を10G信号１本と1.25G信号２本を用いて不等容量マルチレーン伝送する例を示す。1.25Gを一単位と考えて、まず１０論理レーンにODUflexフレームを分配する。ODUflexフレームの分割方法、分配方法は、前述の第１〜第５の実施の形態に示した方法を使用することができる。なお、
ODUflexはODUの一つであり、ODUフレームはOTUフレームから誤り訂正符号が格納されているコラムを取り除いたものである。その後、図１４に示すように１０論理レーンのうち８論理レーンをビット多重して10Gの物理レーン、残りの２つの論理レーンをそのまま1.25Gの物理レーン２本で伝送することで10G×1，1.25G×2の不等容量マルチレーン伝送が可能となる。
【００６５】
この方法は、例えば、10G粒度、1.25Ｇ粒度のように粒度の異なる複数のスイッチを用いたODU-XC(クロスコネクト)や、10G、40G波長による100Gクライアント信号転送に適用可能である。
【００６６】
なお、上記の図３に示す第１〜第６の実施の形態における各要素の動作をプログラムとして構築し、送信側装置及び受信側装置として利用されるコンピュータにインストールして実行させる、または、ネットワークを介して流通させることが可能である。
【００６７】
また、構築されたプログラムを、ハードディスクやフレキシブルディスク、ＣＤ−ＲＯＭ等の可搬記憶媒体に格納し、コンピュータにインストールする、または配布することが可能である。
【００６８】
本発明は、上記の実施の形態に限定されることなく、特許請求の範囲内において種々変更・応用が可能である。
【産業上の利用可能性】
【００６９】
以上の実施の形態ではマルチレーンの長距離伝送への適用を主に述べてきたが，本発明の適用先は長距離伝送に限るものではなく，例えば装置内の各部分の間を結ぶ信号のパラレル伝送や入力ポートの信号速度に制限のあるクロスコネクト装置への適用なども可能である。
【符号の説明】
【００７０】
１００  送信側装置
１１０  フレーム生成部
１２０  FEC符号化部
１３０  論理レーンマーカ付与手段、論理レーンマーカ付与部
１４０  ブロック分割手段、ブロック分割部
１５０  ブロック分配手段、ブロック分配部
２００  受信側装置
２１０  論理レーン識別手段、論理レーン識別部
２２０  ブロック結合手段、ブロック結合部
２３０  フレーム再生手段、フレーム再生部
２４０  ＦＥＣ復号化部
２５０  フレーム処理部
【図１】
2011223454.tif 000004
【図２】
2011223454.tif 000005
【図３】
2011223454.tif 000006
【図４】
2011223454.tif 000007
【図５】
2011223454.tif 000008
【図６】
2011223454.tif 000009
【図７】
2011223454.tif 000010
【図８】
2011223454.tif 000011
【図９】
2011223454.tif 000012
【図１０】
2011223454.tif 000013
【図１１】
2011223454.tif 000014
【図１２】
2011223454.tif 000015
【図１３】
2011223454.tif 000016
【図１４】
2011223454.tif 000017
【図１５】
2011223454.tif 000018
【図１６】
2011223454.tif 000019
【図１７】
2011223454.tif 000020
【図１８】
2011223454.tif 000021
【図１９】
2011223454.tif 000022
【図２０】
2011223454.tif 000023
【図２１】
2011223454.tif 000024